(57)【特許請求の範囲】
【請求項１】
車載型の光ディスク再生装置であって、
光ディスクを収容する収容部と、
前記光ディスク再生装置の動作モードが光ディスク再生モードから他モードに遷移してから光ディスク再生モードに戻るまでの期間中に、収容された光ディスクに記録されたデータに基づいてタイトルのバックグラウンド再生を行う信号処理部と、を有し、
前記信号処理部は、
タイトルの再生画面をマスクするマスク画面に関する第１の画面情報と、前記収容部に収容する光ディスクの入替を促す交換要求画面に関する第２の画面情報と、を保持し、
収容された光ディスクの再生位置がバックグラウンド再生の期間中に終端に到達していない場合、動作モードが光ディスク再生モードに戻ったときに第１の画面情報に基づくマスク画面を出力させ、
収容された光ディスクの再生位置がバックグラウンド再生の期間中に終端に到達している場合、動作モードが光ディスク再生モードに戻ったときに第２の画面情報に基づく交換要求画面を出力させる、
光ディスク再生装置。
【請求項２】
前記信号処理部は、
タイトルの音声が所定時間以上続けて無音状態であるときに、収容された光ディスクの再生位置が終端に到達していると判断する、
請求項１記載の光ディスク再生装置。
【請求項３】
前記信号処理部は、
収容された光ディスクにおいてアプリケーションにディスクアンバウンド情報が格納されていることを条件として、収容された光ディスクの再生位置が終端に到達していると判断する、
請求項１記載の光ディスク再生装置。
【請求項４】
前記信号処理部は、
タイトルの無音状態が所定時間以上続いたことを条件として、収容された光ディスクにおけるアプリケーションを参照する、
請求項３記載の光ディスク再生装置。
【請求項５】
前記信号処理部は、
第２の画面情報に基づく交換要求画面の出力中に、ユーザによる停止操作もしくはイジェクト操作、または車両の停車があったことを条件として、出力させる画面を、第２の画面情報に基づく交換要求画面から、別の画面に、切り替える、
請求項１記載の光ディスク再生装置。
【請求項６】
前記信号処理部は、
タイトルの再生が停止中であることを示す再生停止状態通知画面に関する第３の画面情報をさらに保持し、
第２の画面情報に基づく交換要求画面の出力中に、ユーザによる停止操作があったときに、出力させる画面を、第２の画面情報に基づく交換要求画面から、第３の画面情報に基づく再生停止状態通知画面に、切り替える、
請求項５記載の光ディスク再生装置。
【請求項７】
前記信号処理部は、
第２の画面情報に基づく交換要求画面の出力中に、ユーザによるイジェクト操作があったときに、出力させる画面を、第２の画面情報に基づく交換要求画面から、収容された光ディスクに記録されたデータに基づく別の交換要求画面に、切り替える、
請求項５記載の光ディスク再生装置。
【請求項８】
前記信号処理部は、
第２の画面情報に基づく交換要求画面の出力中に、走行中の車両が停車したときに、出力させる画面を、第２の画面情報に基づく交換要求画面から、収容された光ディスクに記録されたデータに基づく別の交換要求画面に、切り替える、
請求項５記載の光ディスク再生装置。
【発明の詳細な説明】
【技術分野】
【０００１】
本発明は、ＢＤ−ＲＯＭなどの記録媒体に記録されたデータを再生する光ディスク再生装置に関するものである。
【背景技術】
【０００２】
近年、高画質および高音質で高度なインタラクティブ機能を有する情報を記録した大容量の光ディスクを再生する光ディスク再生装置が普及している。
【０００３】
上記のような大容量の光ディスクの代表的なものとして、ブルーレイディスク（Ｂｌｕ−ｒａｙ  Ｄｉｓｃ（登録商標））（以下「ＢＤ」と略記する）がある。ＢＤは、膨大なデータ容量（単層で２５ギガバイト（ＧＢ）、２層で５０ＧＢ）を備えており、ハイビジョン画質の映画コンテンツを蓄積することもできる。ＢＤを用いた市販のまたはレンタル用のソフトウェア製品（パッケージソフトウェア）は、製造過程で書込まれたデータに対して追記または書き換えができない読み出し専用メディアであるＢＤ−ＲＯＭ（Ｂｌｕｒａｙ  Ｄｉｓｃ  Ｒｅａｄ−Ｏｎｌｙ−Ｍｅｍｏｒｙ）により提供されている。
【０００４】
ＢＤ−ＲＯＭに関しては、ＨＤＭＶ（Ｈｉｇｈ  Ｄｅｆｉｎｉｔｉｏｎ  Ｍｏｖｉｅ）モードおよびＢＤ−Ｊ（Ｂｌｕ−ｒａｙ  Ｄｉｓｃ  Ｊａｖａ）モードという二つの仕様が策定されている。
【０００５】
ＨＤＭＶモードは、従来のＤＶＤ−ＲＯＭ（Ｄｉｇｉｔａｌ  Ｖｅｒｓａｔｉｌｅ  Ｄｉｓｃ  Ｒｅａｄ−Ｏｎｌｙ−Ｍｅｍｏｒｙ）に対して、映像および音声のコーデック仕様が拡張されたものであり、高詳細映像および高品質音声が利用可能である。なお、コンテンツ仕様は、ＤＶＤ−ＲＯＭと同様である。なお、以下の説明では、ＨＤＭＶモードのタイトル（コンテンツ）を「ＨＤＭＶタイトル」という。
【０００６】
ＢＤ−Ｊモードは、ＨＤＭＶモードに対して、Ｊａｖａ（登録商標）アプリケーションによって、映像を重ね合わせるなどのビジュアル的な表現を追加することができる。なお、以下の説明では、ＢＤ−Ｊモードのタイトル（コンテンツ）を「ＢＤ−Ｊタイトル」という。
【０００７】
映像および音声のデジタルストリームを収録し、かつＪａｖａ（登録商標）アプリケーションを記録するＢＤ−ＲＯＭタイトルは、複数枚のディスクにより構成されている場合がある。この場合、１枚目のＢＤ−ＲＯＭディスクの再生位置が終端に到達したときに、次のＢＤ−ＲＯＭディスクに入れ替えることを促す映像（以下「ディスク交換要求画面」という）を表示する機能を実装することができる。すなわち、１枚目のＢＤ−ＲＯＭディスクには、ディスク交換要求画面のベースとなるデータがコンテンツとして収録されている。なお、このようなディスク交換要求画面の表示およびキャッシュパッケージ管理に関する制御機能は、「ディスクアンバウンド」と呼ばれる。
【先行技術文献】
【特許文献】
【０００８】
【特許文献１】特表２００８−５０７７９５号公報
【発明の概要】
【発明が解決しようとする課題】
【０００９】
ところで、車載型の光ディスク再生装置は一般に、光ディスク再生以外の機能、例えば、ナビゲーション、ラジオ放送および地上デジタル放送といった様々な機能を、備えている。ユーザは光ディスク再生装置の動作モードの切替操作を行うことにより、所望の機能を光ディスク再生装置に実行させることができる。
【００１０】
光ディスクに収録されたタイトルの再生が行われているときに、動作モードが光ディスク再生モード以外のモード（以下「他モード」という）となっている場合、タイトルの再生はバックグラウンド再生（言い換えると、バックグラウンド動作で行う再生）である。このとき、出力される映像および音声は、他のソースからのものであり、光ディスクに収録されたタイトルの映像および音声は、再生されるものの実際には出力されない。一方、光ディスクに収録されたタイトルの再生が行われているときに、動作モードが光ディスク再生モードとなっている場合、タイトルの映像および音声の出力が可能である。ところが、タイトルの映像を出力させると、運転者が車両走行中にタイトル再生画面を注視する可能性がある。これは、安全性の観点から好ましくない。
【００１１】
そこで、車載型の光ディスク再生装置では通常、車両走行中に運転者がタイトル再生画面を注視することがないよう、別の映像（以下「マスク画面」という）を表示することによりタイトル再生画面をマスクする。これにより運転者は、再生中のタイトルの音声のみを安全に楽しむことができる。
【００１２】
しかしながら、マスク画面の表示中は、ＢＤ−ＲＯＭディスクに記録されたデータに基づくディスク交換要求画面でさえもマスクされることになる。このため、運転者および同乗者（以下、総称として「ユーザ」という）は、ディスク交換要求画面を視認することができず、表示画面上では、ＢＤ−ＲＯＭディスクの交換が必要な状況にあることを認識することができない。また、無音状態が継続するため、装置に故障が発生したとユーザが誤認する可能性がある。
【００１３】
本発明の目的は、タイトルが複数枚の光ディスクで構成されており、そのタイトルを車載型の光ディスク再生装置により車両走行中に再生している場合において、タイトルの続きを視聴するために光ディスクの交換が必要な状況にあるときにその旨をユーザに通知することができる光ディスク再生装置を提供することである。
【課題を解決するための手段】
【００１４】
本発明の光ディスク再生装置は、車載型の光ディスク再生装置であって、光ディスクを収容する収容部と、前記光ディスク再生装置の動作モードが光ディスク再生モードから他モードに遷移してから光ディスク再生モードに戻るまでの期間中に、収容された光ディスクに記録されたデータに基づいてタイトルのバックグラウンド再生を行う信号処理部と、を有し、前記信号処理部は、タイトルの再生画面をマスクするマスク画面に関する第１の画面情報と、前記収容部に収容する光ディスクの入替を促す交換要求画面に関する第２の画面情報と、を保持し、収容された光ディスクの再生位置がバックグラウンド再生の期間中に終端に到達していない場合、動作モードが光ディスク再生モードに戻ったときに第１の画面情報に基づくマスク画面を出力させ、収容された光ディスクの再生位置がバックグラウンド再生の期間中に終端に到達している場合、動作モードが光ディスク再生モードに戻ったときに第２の画面情報に基づく交換要求画面を出力させる。
【発明の効果】
【００１５】
本発明によれば、タイトルが複数枚の光ディスクで構成されており、そのタイトルを車載型の光ディスク再生装置により車両走行中に再生している場合において、タイトルの続きを視聴するために光ディスクの交換が必要な状況にあるときにその旨をユーザに通知することができる。
【図面の簡単な説明】
【００１６】
【図１】本発明の一実施の形態に係る光ディスク再生装置のシステムとしての使用形態を説明するための図
【図２】本発明の一実施の形態に係る光ディスク再生装置の構成を示すブロック図
【図３】ＢＤ−ＲＯＭのファイル構成を説明するための図
【図４】図３に示すＩｎｄｅｘ．ｂｄｍｖとタイトルとの関係を説明するための図
【図５Ａ】タイトル再生画面の一例を示す図
【図５Ｂ】マスク画面の一例を示す図
【図５Ｃ】本発明の一実施の形態に係るディスク交換要求画面の一例を示す図
【図５Ｄ】光ディスク再生停止中の表示画面の一例を示す図
【図６Ａ】本発明の一実施の形態に係る画面表示制御の、バックグラウンド再生期間中の動作を説明するためのフロー図
【図６Ｂ】本発明の一実施の形態に係る画面表示制御の、バックグラウンド再生期間後の動作を説明するためのフロー図
【発明を実施するための形態】
【００１７】
以下、本発明の実施の形態について、図面を用いて詳細に説明する。
【００１８】
図１は、本発明の一実施の形態に係る光ディスク再生装置（以下「再生装置」と略記する）の、システムとしての使用形態を説明するための図である。図１に示す本実施の形態の再生装置１００は車載型であり、つまり、車両に設置して使用されるものである。
【００１９】
再生装置１００は、収容部としてのディスクトレイ１０１を有し、ディスクトレイ１０１にＢＤ−ＲＯＭ１０などの光ディスクを収容することができる。すなわち、ディスクトレイ１０１は、再生装置１００に挿入された光ディスクを収容し、かつ、光ディスクが再生装置１００に対して挿排自在となるように構成されている。
【００２０】
なお、本実施の形態では、ＢＤ−ＲＯＭ１０には、映画作品または音楽ライブ映像などのＡＶ（Ａｕｄｉｏ−Ｖｉｓｕａｌ）コンテンツのデータが記録されているものとする。また、本実施の形態では、再生装置１００により、ＢＤ−ＲＯＭ１０に記録されたデータから映像および音声を再生する場合を例にとって説明する。
【００２１】
再生装置１００は、カードスロット１０２を有し、カードスロット１０２にリムーバブルメディア１１を収容することができる。
【００２２】
再生装置１００は、モニタ１３およびスピーカ１４と通信可能に接続されている。なお、接続形態は有線であっても無線であってもよい。また、図１に示す使用形態では、モニタ１３の数もスピーカ１４の数も１つであるが、複数存在してもよい。ただし、以下の説明では、説明の便宜上、モニタ１３の数が１つであることを前提とする。
【００２３】
モニタ１３は、映像を表示する装置である。再生装置１００により再生される映像はモニタ１３により出力される。モニタ１３は、再生装置１００からの操作メニュー用データに基づいて操作メニューを表示する機能も有する。よって、ユーザはモニタ１３に表示された操作メニューを見ながら、再生装置１００に設けられた操作ボタン（図示せず）あるいはリモコン１５を用いて再生装置１００を操作することができる。また、モニタ１３はタッチパネル１６を備えているため、ユーザは、表示中の操作メニュー内の操作ボタンを押すことにより、再生装置１００を操作することもできる。
【００２４】
スピーカ１４は、音声を出力する装置である。再生装置１００により再生される音声はスピーカ１４により出力される。
【００２５】
再生装置１００は、インターネットを介してＷＷＷ（Ｗｏｒｌｄ  Ｗｉｄｅ  Ｗｅｂ）サーバ１２と通信可能に接続されている。本実施の形態では、再生装置１００は車載型であるため、ＷＷＷサーバ１２との接続形態は通常、無線である。
【００２６】
再生装置１００は、車両に設けられた走行状態センサ２０にも接続されている。走行状態センサ２０は、例えば車速またはサイドブレーキもしくはシフトレバーの状態を検知し得るセンサであって、車両が走行状態か停車状態かの判断に供する情報を取得するものである。
【００２７】
図２は、再生装置１００の構成を示すブロック図である。図２において、再生装置１００は、ピックアップ１１１、サーボ１１２、ローカルストレージ１１３、ネットワークインターフェース１１４、信号処理部１１５、出力部１１６、入力信号受信部１１７および走行状態情報取得部１１８を有する。信号処理部１１５は、画面情報保持部１２１、再生終端位置検知部１２２、ユーザ操作部１２３および無音状態監視タイマ１２４を有する。
【００２８】
サーボ１１２は、ピックアップ１１１を制御する。具体的には、サーボ１１２は、ピックアップ１１１をＢＤ−ＲＯＭ１０の半径方向において移動（シーク）させたり、あるいはＢＤ−ＲＯＭ１０の軸方向において移動（フォーカス）させたりすることにより、ピックアップ１１１の位置を調整する装置である。
【００２９】
ピックアップ１１１は、サーボ１１２の制御下でＢＤ−ＲＯＭ１０からデータを取得し、取得されたデータを信号処理部１１５に送る。
【００３０】
出力部１１６は、図１に示すモニタ１３およびスピーカ１４といった装置を含むものである。
【００３１】
走行状態情報取得部１１８は、図１に示す走行状態センサ２０とのインターフェースであり、走行状態センサ２０から、走行状態の検知結果を示す走行状態情報を取得する。走行状態センサ２０から取得された走行状態情報は信号処理部１１５に送られる。
【００３２】
信号処理部１１５は、例えばＣＰＵ（Ｃｅｎｔｒａｌ  Ｐｒｏｃｅｓｓｉｎｇ  Ｕｎｉｔ）などの演算処理装置にて所定のソフトウェアプログラムを実行することにより実現される。信号処理部１１５は、ピックアップ１１１によりＢＤ−ＲＯＭ１０から取得されたデータ（以下「ＢＤデータ」ともいう）を処理する。ここで、ＢＤデータの処理は主としてデコードであるが、信号処理部１１５は、ＢＤデータに基づく映像に別の映像を重畳する映像処理などを行うこともできる。
【００３３】
信号処理部１１５は、ローカルストレージ１１３に保存されているデータ、およびネットワークインターフェース１１４を介して外部（例えば図１に示したＷＷＷサーバ１２）からダウンロードされたデータも処理する。
【００３４】
ここで、ローカルストレージ１１３のデータおよびネットワークインターフェース１１４を介して取得されるデータは主に、ＢＤデータのアプリケーション（例えば、ＢＤ−Ｊタイトルの制御プログラムであるＪａｖａ（登録商標）アプリケーション）である。ローカルストレージ１１３は、例えば図１に示すリムーバブルメディア１１である。
【００３５】
すなわち、信号処理部１１５は、上記処理において、コンテンツ制御プログラムを適宜使用してＢＤデータに基づくＡＶコンテンツを再生するように、構成されたものである。
【００３６】
再生装置１００の動作モードが光ディスク再生モード（以下「再生モード」と略記する）であるとき、信号処理部１１５は、ＢＤデータに対して信号処理を施した結果として得られる映像データおよび音声データを、出力部１１６に送る。これにより、ＢＤ−ＲＯＭ１０に蓄積されているＡＶコンテンツを出力することができる。
【００３７】
再生装置１００の動作モードが他モード（つまり再生モード以外のモード）であるとき、信号処理部１１５は、入力信号受信部１１７を介して受信された入力信号に含まれる映像データおよび音声データを、出力部１１６に送る。これにより、他のソースからのＡＶコンテンツ（カーナビゲーション画像、地上デジタル放送およびラジオ放送など）を出力することができる。
【００３８】
また、信号処理部１１５は、図１のリモコン１５などを用いたユーザ操作の内容を受け、その操作が受付可能かどうかを判断し、受付可能な場合にはユーザ操作部１２３にその操作を実行させる。
【００３９】
また、信号処理部１１５は、再生装置１００に最初から組み込まれているユーザインターフェースを図１のモニタ１３などへ表示させる機能も有する。ここで、ユーザインターフェースとは、再生装置１００の内臓メモリ（図示せず）にプログラムとして保持されており、再生装置１００の機能としてモニタ１３に表示される再生ボタンおよび停止ボタンなどである。
【００４０】
したがって、ユーザがリモコン１５またはタッチパネル１６を用いて操作を行うと、信号処理部１１５は、入力されたユーザ操作を各ボタンの機能と結びつけて、操作されたボタンの動作をユーザ操作部１２３に実行させる。
【００４１】
画面情報保持部１２１は、信号処理部１１５に含まれるものであり、必要に応じて出力部１１６（図１のモニタ１３）から出力すべき映像（画面）のベースとなる画面情報を保持する。この画面情報は、ＢＤ−Ｊタイトル再生中にＢＤ−ＲＯＭ１０から読み出されるものではなく、予め再生装置１００の内臓メモリ（図示せず）にデータとして記録されているものである。
【００４２】
再生終端位置検知部１２２は、信号処理部１１５に含まれるものであり、ＢＤ−Ｊアプリケーション（詳しくは後述する）が記録されたＢＤ−ＲＯＭディスク内のディスクアンバウンド情報により、再生終端位置か否かを検知する。
【００４３】
無音状態監視タイマ１２４は、信号処理部１１５に含まれるものであり、ＢＤ−Ｊタイトル再生中にデコードされた音声データが無音状態である時間を監視および計測するタイマである。
【００４４】
以上、本実施の形態の再生装置１００の構成について説明した。
【００４５】
なお、再生装置１００の構成は、適宜変更可能である。例えば、本実施の形態では、再生装置１００が他モードであるとき、他のソースからの入力信号が再生装置１００を経由して出力部１１６に供給されるような構成が採られている。しかし、再生装置１００が他モードであるとき、他のソースからの入力信号が再生装置１００を経由せずに出力部１１６に供給されるようにしてもよい。
【００４６】
ここで、ＢＤ−ＲＯＭ１０のファイル構成について説明する。
【００４７】
図３は、ＢＤ−ＲＯＭ１０のファイル構成を示す図である。ＢＤ−ＲＯＭ１０は、他種の光ディスク（ＤＶＤおよびＣＤなど）と同様に、その内周から外周に向けて螺旋状に記録領域を有し、内周部のリード・インと外周部のリード・アウトとの間に論理データを記録できる論理アドレス空間を有する。リード・インの内側にはＢＣＡ（Ｂｕｒｓｔ  Ｃｕｔｔｉｎｇ  Ａｒｅａ）と呼ばれる、ドライブでしか読み出せない特別な領域が設けられている。この領域は、アプリケーションから読み出すことができないため、一般に、例えば著作権保護技術などに利用されている。
【００４８】
論理アドレス空間には、ファイルシステム情報（ボリューム）を先頭に映像データなどのアプリケーションデータが記録されている。ファイルシステムとは、ユニバーサルディスクフォーマット（ＵＤＦ）およびＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）９６６０などのことである。よって、通常のＰＣ（Ｐｅｒｓｏｎａｌ  Ｃｏｍｐｕｔｅｒ）と同様に、論理アドレス空間に記録されている論理データは、ディレクトリ・ファイル構造を使って読み出すことができる。このファイルシステムにおけるファイルの配置位置は、ディレクトリ名およびファイル名（一般に最大２５５文字）の組合せであるファイル経路情報（ファイルパス）によって特定される。
【００４９】
本実施の形態の場合、ＢＤ−ＲＯＭ１０のディスク上のディレクトリ・ファイル構造では、ルートディレクトリ（ＲＯＯＴ）直下にＢＤＭＶディレクトリおよびｂｄ．ｃｅｒｔファイルが配置されている。ＢＤＭＶディレクトリは、ＢＤ−ＲＯＭ１０で扱うＡＶコンテンツおよび管理情報などのデータが記録されているディレクトリである。ｂｄ．ｃｅｒｔ（ファイル名固定）は、仮想パッケージのために追加されたコンテンツをＢＤ−ＲＯＭ１０上のデータとマージする際に、署名検証に用いられる証明書である。
【００５０】
ＢＤＭＶディレクトリには、ｉｎｄｅｘ．ｂｄｍｖおよびＭｏｖｉｅＯｂｊｅｃｔ．ｂｄｍｖといった２種類のファイルが配置されている。
【００５１】
ＭｏｖｉｅＯｂｊｅｃｔ．ｂｄｍｖは、ムービーオブジェクト（Ｍｏｖｉｅ  Ｏｂｊｅｃｔ）を格納するファイルである。
【００５２】
ｉｎｄｅｘ．ｂｄｍｖ（ファイル名固定）は、ＢＤ−ＲＯＭ１０全体に関する管理情報を格納するファイルである。ｉｎｄｅｘ．ｂｄｍｖは、ｏｒｇａｎｉｚａｔｉｏｎＩＤ（３２ｂｉｔ）およびｄｉｓｃＩＤ（１２８ｂｉｔ）など、様々な情報を有する。ｏｒｇａｎｉｚａｔｉｏｎＩＤは、映画作品などのプロバイダを特定する識別子である。ｄｉｓｃＩＤは、映画作品などのプロバイダから提供されるＢＤ−ＲＯＭ１０のそれぞれに割り当てられた識別子である。
【００５３】
ＢＤ−ＲＯＭ１０を再生装置１００に挿入した後に、ｉｎｄｅｘ．ｂｄｍｖを最初に読み出すことにより、再生装置１００においてＢＤ−ＲＯＭ１０を一意に認識することができる。
【００５４】
加えて、ｉｎｄｅｘ．ｂｄｍｖには、ＢＤ−ＲＯＭ１０に記録されている再生可能な複数のタイトルと、個々のタイトルを規定するＢＤ−Ｊオブジェクトとを対応付けて示すインデックステーブル（Ｉｎｄｅｘ  Ｔａｂｌｅ）が含まれる。ｉｎｄｅｘ．ｂｄｍｖとタイトルとの関係については後述する。
【００５５】
ＢＤＭＶディレクトリの配下には、ＰＬＡＹＬＩＳＴディレクトリ、ＣＬＩＰＩＮＦディレクトリ、ＳＴＲＥＡＭディレクトリ、ＢＤＪＯディレクトリおよびＪＡＲディレクトリと呼ばれる５つのサブディレクトリが存在する。
【００５６】
ＳＴＲＥＡＭディレクトリには、拡張子ｍ２ｔｓが付与されたファイル（＊＊＊＊．ｍ２ｔｓ）が存在する。このファイルには、ビデオストリーム、オーディオストリームおよびグラフィックストリームを多重化してなるＡＶストリームが格納される。
【００５７】
ＣＬＩＰＩＮＦディレクトリには、拡張子ｃｌｐｉが付与されたファイル（＊＊＊＊．ｃｌｐｉ）が存在する。このファイルには、ＡＶストリームに１対１に対応する管理情報が格納される。
【００５８】
ＰＬＡＹＬＩＳＴディレクトリには、拡張子ｍｐｌｓが付与されたファイル（＊＊＊＊．ｍｐｌｓ）が存在する。このファイルには、ＡＶストリームにおける論理的な再生経路を定義するプレイリスト情報が格納される。プレイリスト情報は、１つ以上のプレイアイテム情報により構成される。プレイアイテム情報は、ＡＶストリームの再生区間を示すものであり、プレイリスト情報において、再生されるべき順序で記述されている。
【００５９】
各プレイリスト情報は、ユーザ操作を制限する情報（ユーザ操作制限情報）を記述するフィールドを有する。あるプレイリスト情報において、早送り、停止または一時停止などのユーザ操作の禁止を指定するユーザ操作制限情報が記述されている場合、信号処理部１１５は通常、そのプレイリスト情報に対応する再生区間の再生途中では、禁止されたユーザ操作を受け付けないように、動作する。
【００６０】
コンテンツによって一時停止操作が禁止される区間としては、光ディスク挿入後に再生されるファーストプレイバック、トップメニュー、およびトップメニューではないがユーザ選択が可能なボタン画面が表示されているメニュータイトルなどが、挙げられる。
【００６１】
ファーストプレイバックとしては、他パッケージソフトウェアの紹介、映画の予告編、または音場再生技術のデモコンテンツなどがある。
【００６２】
各プレイアイテム情報も、ユーザ操作制限情報を記述するフィールドを有する。あるプレイアイテム情報において、早送り、停止または一時停止などのユーザ操作の禁止を指定するユーザ操作制限情報が記述されている場合、信号処理部１１５は通常、そのプレイアイテム情報に対応する再生区間の再生途中では、禁止されたユーザ操作を受け付けないように、動作する。
【００６３】
なお、あるプレイアイテム情報に対応する再生区間についてのユーザ操作の制限は、そのプレイアイテム情報に付随するユーザ操作制限情報と、そのプレイアイテム情報を含むプレイリスト情報に付随するユーザ操作制限情報との和演算により、定められる。
【００６４】
また、プレイリスト情報において特定された参照先に記録されたデータ（例えば、ボタン画面を含むメニュータイトルのデータ）に、同様のユーザ操作制限情報が記述される場合もある。
【００６５】
ＪＡＲディレクトリには、拡張子ｊａｒが付与されたファイル（＊＊＊＊．ｊａｒ）が存在する。このファイルは、Ｊａｖａ（登録商標）アーカイブファイルである。
【００６６】
ＢＤＪＯディレクトリには、拡張子ｂｄｊｏが付与されたファイル（＊＊＊＊．ｂｄｊｏ）が存在する。このファイルは、ＢＤ−Ｊオブジェクト（ＢＤ−Ｊ  Ｏｂｊｅｃｔ）を格納するファイルである。
【００６７】
ＢＤ−Ｊオブジェクトは、プレイリスト情報により示されるＡＶストリームとアプリケーションとの対応付けにより、タイトルを定義する情報である。ＢＤ−Ｊオブジェクトは、「アプリケーション管理テーブル」と、定義対象のタイトルにおいて再生可能なプレイリスト情報の一覧とを示す。
【００６８】
アプリケーション管理テーブル（ＡＭＴ）とは、「アプリケーションシグナリング」を実現するテーブルである。「アプリケーションシグナリング」とは、ＢＤ−ＲＯＭ１０におけるタイトルをアプリケーションの生存区間として管理し、アプリケーションの起動および終了を司る制御をいう。ここで、生存区間とは、ＢＤ−ＲＯＭ１０に記録されたコンテンツ全体の時間軸において、仮想マシンのヒープメモリ上でアプリケーションが生存し得る区間を示す。また、「生存」とは、そのアプリケーションが、ヒープメモリに読み出されて、仮想マシンによる実行が可能になっている状態をいう。
【００６９】
アプリケーション管理テーブルには、アプリケーションの識別子（アプリケーションＩＤ）、およびそのアプリケーションに属するＪａｖａ（登録商標）アーカイブファイルのＩＤが羅列される。これにより、定義対象のタイトルを生存区間とするアプリケーションが示される。すなわち、１つのアプリケーションは、１つ以上のＪａｖａ（登録商標）アーカイブファイルにより構成される。このようにＢＤ−Ｊオブジェクト内のアプリケーション管理テーブルによりセクタが管理されるＪａｖａ（登録商標）アプリケーションを、「ＢＤ−Ｊアプリケーション」と呼ぶ。
【００７０】
図４は、ｉｎｄｅｘ．ｂｄｍｖファイルとタイトルとの関係を示す図である。
【００７１】
タイトルとは、アプリケーションとＡＶストリームとを組にしてなる再生単位である。ｉｎｄｅｘ．ｂｄｍｖファイルには、ＢＤ−ＲＯＭ１０上のタイトル構成が記載されている。ｉｎｄｅｘ．ｂｄｍｖに含まれるインデックステーブル（Ｉｎｄｅｘ  Ｔａｂｌｅ）においては、ＢＤ−ＲＯＭ１０上の各タイトルと、対応するアプリケーションとの参照関係が管理されている。なお、対応するアプリケーションとは、ＢＤ−Ｊタイトルの場合はＪａｖａ（登録商標）アプリケーションであり、ＨＤＭＶタイトルの場合はシナリオプログラムである。
【００７２】
特殊なタイトルとして、「Ｆｉｒｓｔ  Ｐｌａｙｂａｃｋ」（ファーストプレイバック）と「Ｔｏｐ  Ｍｅｎｕ」（トップメニュー）とが存在する。ファーストプレイバックは、ＢＤ−ＲＯＭ１０の起動時に最初に自動的に再生されるタイトルである。ファーストプレイバックは主に、ＢＤの利用規約表示などに用いられる。トップメニューは、リモコンのメニューキーを押したときおよびタイトル再生が終了したときに再生され、主にタイトルの選択および字幕／音声の言語選択を行うことに用いられる。
【００７３】
なお、図４においては、ファーストプレイバックは、ムービーオブジェクト＃１、＃２、＃３およびＢＤ−Ｊオブジェクト＃１、＃２、＃３のうち、ムービーオブジェクト＃１により定義されるものである。ファーストプレイバックを再生するにはムービーオブジェクト＃１を参照する必要がある。また、トップメニューは、ＢＤ−Ｊオブジェクト＃１により定義されるものであり、トップメニューを再生するにはＢＤ−Ｊオブジェクト＃１を参照する必要がある。また、タイトル＃１は、ＢＤ−Ｊオブジェクト＃２により定義されるものであり、タイトル＃１を再生するにはＢＤ−Ｊオブジェクト＃２を参照する必要がある。また、タイトル＃ｎは、ムービーオブジェクト＃３により定義されるものであり、タイトル＃ｎを再生するにはムービーオブジェクト＃３を参照する必要がある。
【００７４】
次いで、再生装置１００の動作モードが再生モードであるときにモニタ１３により出力される画面について、幾つかの例を挙げて説明する。
【００７５】
図５Ａは、ＢＤ−ＲＯＭ１０に記録されたデータに基づくタイトル再生画面の一例を示す図である。つまり、モニタ１３には、ＢＤ−ＲＯＭ１０に記録されたデータからデコードされた映像データに基づいて映像が表示される。
【００７６】
図５Ｂは、マスク画面の一例を示す図である。マスク画面は、前述のとおり、走行中の安全のために表示される画面である。マスク画面では通常、背景の領域全体が不透明に塗りつぶされるため、モニタ１３からマスク画面が出力されるときは他の映像は出力されない。マスク画面の内容は、信号処理部１１５の画面情報保持部１２１に保持された画面情報（マスク画面情報）に基づいている。
【００７７】
図５Ｃは、ディスク交換要求画面の一例を示す図である。ディスク交換要求画面は、前述のとおり、タイトルが複数枚の光ディスクにより構成されている場合において、タイトルの続きを視聴するために次の光ディスクに入れ替えることを促すテキストメッセージを含む画面である。このディスク交換要求画面の内容は、信号処理部１１５の画面情報保持部１２１に保持された画面情報（ディスク交換要求画面情報）に基づいている。
【００７８】
一般に、ＢＤ−Ｊタイトルが複数枚のＢＤ−ＲＯＭ１０により構成されている場合、最後の１枚を除く全てのＢＤ−ＲＯＭ１０にディスクアンバウンドの機能が実装される。しかし、ＢＤ−ＲＯＭ１０に記録されたデータに基づくディスク交換要求画面は、マスク画面の出力中は出力不可能である。このことに鑑み、本実施の形態では、マスク画面の出力中でも出力可能なディスク交換要求画面のベースとなるディスク交換要求画面情報を、マスク画面情報と同様に、再生装置１００内に保持させたものである。
【００７９】
図５Ｄは、再生装置１００の動作モードが再生モードであるが再生が停止されている場合、あるいは、再生装置１００の動作モードが再生モードであるが光ディスクが挿入されていない場合に、出力される画面（再生停止状態通知画面）の一例を示す図である。この再生停止状態通知画面の内容は、信号処理部１１５の画面情報保持部１２１に保持された画面情報（再生停止状態通知画面情報）に基づいている。
【００８０】
再生装置１００の動作モードが再生モードであるとき、再生装置１００においては、上記の画面のいずれかを選択的に出力する画面表示制御が行われる。
【００８１】
図６Ａおよび図６Ｂは、再生装置１００の画面表示制御の動作を説明するためのフロー図である。特に、図６Ａは、画面表示制御の、バックグラウンド再生期間中の動作を説明するものであり、図６Ｂは、画面表示制御の、バックグラウンド再生期間後の動作を説明するものである。
【００８２】
なお、ここでは、画面表示制御の開始時点で車両が走行中であることを前提として説明する。さらに、画面表示制御の開始後、動作モードが一旦、再生モードから他モードに遷移し、その後、ある程度の期間をおいてから再生モードに戻る場合を前提として説明する。
【００８３】
まず、ステップＳ１００では、ＢＤ−Ｊアプリケーションが記録されたＢＤ−ＲＯＭ１０が再生装置１００に挿入されて、ＢＤ−Ｊタイトルの再生が開始される。ＢＤ−ＲＯＭ１０の挿入後、自動的にＢＤ−Ｊタイトルの再生を開始されてもよいし、ユーザによる再生操作をトリガとしてＢＤ−Ｊタイトルの再生を開始させてもよい。このとき、車両は走行中であるため、モニタ１３の出力画面は、タイトル再生画面（図５Ａ）ではなく、モニタ画面（図５Ｂ）である。
【００８４】
ステップＳ１０１では、再生装置１００の動作モードを再生モードから他モードに切り替えるユーザ操作が行われ、この操作に従って動作モードが他モードに遷移する。その結果、モニタ１３およびスピーカ１４からは他のソースからの入力信号に基づく映像および音声が出力される（ステップＳ１０２）。このとき、信号処理部１１５は、ＢＤ−Ｊタイトルの再生を引き続き行っているが、再生装置１００が他モードであることから、その再生はバックグラウンド再生となる。つまり、ＢＤ−Ｊタイトルの映像および音声は、実際には出力されない状態となる。
【００８５】
そして、ステップＳ１０３では、信号処理部１１５は、ＢＤ−Ｊタイトル再生終端検出フラグ（以下、単に「フラグ」という）をクリアする。
【００８６】
そして、ステップＳ１０４では、信号処理部１１５は、タイトル再生中であるか否かを判断する。再生中である場合は（Ｓ１０４：Ｙｅｓ）、画面表示制御の処理はステップＳ１０５に進む。再生中でない場合は（Ｓ１０４：Ｎｏ）、再生表示制御の処理はステップＳ１１３に進む。
【００８７】
ステップＳ１０５では、信号処理部１１５は、無音状態監視タイマ１２４を初期化する。
【００８８】
そして、ステップＳ１０６では、信号処理部１１５は、ＢＤ−Ｊタイトル再生中にユーザにより停止操作またはイジェクト操作が行われたか否かを判断する。ここで、停止操作とは、タイトル再生を停止させる操作であり、イジェクト操作とは、再生装置１００から光ディスクを排出させる操作である。
【００８９】
停止操作またはイジェクト操作が行われた場合（Ｓ１０６：Ｙｅｓ）、画面表示制御の処理はステップＳ１１３に進み、停止操作もイジェクト操作も行われていない場合（Ｓ１０６：Ｎｏ）、信号処理部１１５は、タイトル再生中であるか否かを判断する（ステップＳ１０７）。
【００９０】
再生中でない場合は（Ｓ１０７：Ｎｏ）、画面表示制御の処理はステップＳ１１３に進む。再生中である場合は（Ｓ１０７：Ｙｅｓ）、信号処理部１１５は、再生中のＢＤ−Ｊタイトルのデコードされた音声データが無音状態であるか否かを判断する（ステップＳ１０８）。
【００９１】
無音状態でない場合（Ｓ１０８：Ｎｏ）、信号処理部１１５が再生ポーズＯＮコマンドによりＢＤ−Ｊタイトルの再生を一時停止（ステップＳ１０９）した後、画面表示制御の処理はステップＳ１１３に進む。再生ポーズＯＮコマンドによりＢＤ−Ｊタイトルの再生を一時停止することにより、バックグラウンド動作中に再生位置が進むことを防ぐことができる。
【００９２】
無音状態である場合（Ｓ１０８：Ｙｅｓ）、信号処理部１１５は、無音状態の持続時間が、予め定められた閾値（例えば３０秒）を超えたか否かを判断する（ステップＳ１１０）。
【００９３】
無音状態の持続時間が閾値を超えていない場合（Ｓ１１０：Ｎｏ）、画面表示制御の処理はステップＳ１０６に戻る。
【００９４】
無音状態の持続時間が閾値を超えていた場合（Ｓ１１０：Ｙｅｓ）、信号処理部１１５は、ＢＤ−ＲＯＭ１０において、ＢＤ−Ｊアプリケーションを参照し、ディスクアンバウンド情報が格納されているか否かを判断する（ステップＳ１１１）。
【００９５】
ここで、ディスクアンバウンド情報とは、ＢＤ−ＲＯＭ１０にディスクアンバウンドの機能が実装されていることを示す情報を意味する。すなわち、この情報は、ディスクアンバウンドの機能が実行されるように設計されたプログラムの論理構造であってもよいし、ディスクアンバウンドの機能の存在を明示する記述子であってもよい。
【００９６】
ディスクアンバウンド情報が格納されていない場合（Ｓ１１１：Ｎｏ）、信号処理部１１５が再生ポーズＯＮコマンドによりＢＤ−Ｊタイトルの再生を一時停止（ステップＳ１０９）した後、画面表示制御の処理はステップＳ１１３に進む。再生ポーズＯＮコマンドによりＢＤ−Ｊタイトルの再生を一時停止することにより、バックグラウンド動作中に再生位置が進むことを防ぐことができる。
【００９７】
ディスクアンバウンド情報が格納されている場合（Ｓ１１１：Ｙｅｓ）、信号処理部１１５がＢＤ−Ｊタイトルの再生終端位置を検知した（つまりＢＤ−ＲＯＭ１０の再生位置が終端に到達した）と判断して、フラグをＯＮ状態にセットする（ステップＳ１１２）。そして、画面表示制御の処理はステップＳ１１３に進む。
【００９８】
ステップＳ１１３では、再生装置１００の動作モードを他モードから再生モードに切り替えるユーザ操作が行われ、この操作に従って動作モードが再生モードに遷移する。すなわち、動作モードが再生モードに戻り、バックグラウンド再生の期間が終了するため、ＢＤ−Ｊタイトルの映像および音声の出力が行われる状態、あるいはそれらの出力が可能な状態となる。
【００９９】
ステップＳ１１４では、信号処理部１１５は、フラグがＯＮ状態か否かを判断する。
【０１００】
ＯＮ状態であれば（Ｓ１１４：Ｙｅｓ）、再生装置１００の挿入されているＢＤ−ＲＯＭ１０の再生位置は既に終端に到達しており、かつ、ＢＤ−Ｊタイトルの続きを収録する別のＢＤ−ＲＯＭが存在していることが分かる。よって、信号処理部１１５は、ディスク交換要求画面（図５Ｃ）をモニタ１３に出力させる（ステップＳ１１５）。すなわち、モニタ１３の出力画面は、他のソースの映像から、ディスク交換要求画面に、切り替えられる。
【０１０１】
なお、ステップＳ１１５では、車両が走行中でも停車中でも、ディスク交換要求画面情報に基づくディスク交換要求画面が表示されるが、車両が走行中の場合に限り、ディスク交換要求画面情報に基づくディスク交換要求画面が表示されるようにしてもよい。この場合、車両の停車中は、ＢＤ−ＲＯＭ１０に記録されたデータに基づくディスク交換要求画面が表示されることとなる。
【０１０２】
ＯＮ状態でなければ（Ｓ１１４：Ｎｏ）、信号処理部１１５は、ＢＤ−Ｊタイトルの再生が一時停止状態か否かを判断する（ステップＳ１１６）。
【０１０３】
再生が一時停止状態であれば（Ｓ１１６：Ｙｅｓ）、信号処理部１１５が再生ポーズＯＦＦコマンドにより再生の一時停止状態を解除し通常の再生状態に遷移（ステップＳ１１７）させた後、画面表示制御の処理はステップＳ１２０に進む。
【０１０４】
再生が一時停止状態でなければ（Ｓ１１６：Ｎｏ）、信号処理部１１５は、タイトル再生中であるか否かを判断する（ステップＳ１１８）。
【０１０５】
再生中である場合は（Ｓ１１８：Ｙｅｓ）、画面表示制御の処理はステップＳ１２０に進む。
【０１０６】
再生中でない場合は（Ｓ１１８：Ｎｏ）、信号処理部１１５は、再生停止状態通知画面（図５Ｄ）をモニタ１３に出力させる（ステップＳ１１９）。すなわち、モニタ１３の出力画面は、他のソースの映像から、再生停止状態通知画面に、切り替えられる。
【０１０７】
ステップＳ１２０では、信号処理部１１５は、走行状態センサ２０から取得された現在の走行状態情報に基づいて、車両走行中か否かを判断する。
【０１０８】
車両走行中である場合（Ｓ１２０：Ｙｅｓ）、信号処理部１１５は、マスク画面（図５Ｂ）をモニタ１３に出力させる（ステップＳ１２１）。すなわち、モニタ１３の出力画面は、他のソースの映像から、マスク画面に、切り替えられる。よって、この場合、ユーザは、ＢＤ−Ｊタイトルの音声を聴くことはできるが、ＢＤ−Ｊタイトルの映像を見ることはできない。
【０１０９】
車両走行中でない場合（Ｓ１２０：Ｎｏ）、信号処理部１１５は、タイトル再生画面（図５Ａ）をモニタ１３に出力させる（ステップＳ１２２）。すなわち、モニタ１３の出力画面は、他のソースの映像から、タイトル再生画面に、切り替えられる。よって、この場合、ユーザは、ＢＤ−Ｊタイトルの映像および音声を視聴することができる。
【０１１０】
このように、図６Ａおよび図６Ｂに示すシーケンスに従って画面表示制御を行うことにより、状況に応じた適切な画面をモニタ１３に表示することができる。
【０１１１】
特に、本実施の形態では、再生位置がバックグラウンド再生中に終端に到達していない場合、動作モードが他モードから再生モードに戻ったときに、予め信号処理部１１５内に用意されているマスク画面情報に基づいてマスク画面がモニタ１３に表示される。一方、再生位置がバックグラウンド再生中に終端に到達している場合、動作モードが他モードから再生モードに戻ったときに、予め信号処理部１１５に用意されているディスク交換要求画面情報に基づいてディスク交換要求画面が表示される。これにより、後者の場合においては、車両が走行中であっても、動作モードが他モードから再生モードに戻ったときに、出力画面を他のソースの映像からディスク交換要求画面に切り替えることができる。したがって、タイトルの続きを視聴するために光ディスクの交換が必要な状況であれば、その旨をユーザに通知することができる。
【０１１２】
また、本実施の形態では、再生装置１００に挿入されているＢＤ−ＲＯＭ１０においてＢＤ−Ｊアプリケーションにディスクアンバウンド情報が格納されていることを条件として、ディスク交換要求画面を出力させる制御が行われる。よって、ディスクアンバウンド情報が格納されていない場合、言い換えれば、挿入されているＢＤ−ＲＯＭ１０に収録されているＢＤ−Ｊタイトルの続きを収録する別のＢＤ−ＲＯＭが存在しない場合は、ディスク交換要求画面の出力を確実に回避することができる。
【０１１３】
また、本実施の形態では、無音状態が閾値よりも長時間にわたり続いたことを条件として、再生装置１００に挿入されているＢＤ−ＲＯＭ１０のＢＤ−Ｊアプリケーションが参照される。言い換えれば、無音状態が閾値よりも長時間にわたり続かなければ、ＢＤ−Ｊアプリケーションの参照は行われない。これにより、ＢＤ−ＲＯＭ１０の再生位置が終端に到達したことをより良好な精度で検知することができる。
【０１１４】
ところで、ディスク交換要求画面が一旦表示されると、ディスク交換要求画面の表示状態は、予め定められたイベント（ユーザ操作または状態変化）が発生するまで持続する。所定のイベントが発生したときに、信号処理部１１５は、ディスク交換要求画面の出力状態を解除する。以下、その解除条件について説明する。
【０１１５】
なお、以下の説明では、便宜上、信号処理部１１５の画面情報保持部１２１に保持されたディスク交換要求画面情報に基づくディスク交換要求画面を「新型のディスク交換要求画面」という。一方、ディスクアンバウンド情報が格納されているＢＤ−ＲＯＭに記録されたデータに基づくディスク交換要求画面を「従来型のディスク交換要求画面」という。
【０１１６】
新型のディスク交換要求画面の出力状態は、下記３つのイベントのうちいずれか１つが発生したことを条件として解除される。３つのイベントは、ユーザによる停止操作、ユーザによるイジェクト操作、および車両の停車である。
【０１１７】
ユーザが停止操作を行ったときには、出力画面は、新型のディスク交換要求画面から、別の画面に切り替えられる。切替後の出力画面は、再生停止状態通知画面である。停止操作によって、タイトルの再生が停止されるからである。
【０１１８】
また、ユーザがイジェクト操作を行ったときにも、出力画面は、新型のディスク交換要求画面から、別の画面に切り替えられる。この状況下では通常、バックグラウンドで従来型のディスク交換要求画面が再生されている。よって、切替後の出力画面は、従来型のディスク交換要求画面である。したがって、新型のディスク交換要求画面の出力状態を解除しても、引き続きディスク交換をユーザに要求することができる。
【０１１９】
イジェクト操作をトリガとして出力画面が従来型のディスク交換要求画面に切り替えられた後は、従来型のディスク交換要求画面の出力がキャッシュトパッケージ（Ｃａｃｈｅｄ  Ｐａｃｋａｇｅ）により継続されることになるが、この点は従来技術と同様である。すなわち、従来型のディスク交換要求画面の出力中にユーザがＢＤ−ＲＯＭの入替を行うと、ディスク判別、ファイルシステム解析およびＢＤ−Ｊアプリケーション解析を経て、ＢＤ−Ｊタイトルの続きが再生されることとなる。
【０１２０】
また、車両が停車したときにも、出力画面は、新型のディスク交換要求画面から、別の画面に切り替えられる。この状況下では通常、バックグラウンドで従来型のディスク交換要求画面が再生されている。よって、切替後の出力画面は、従来型のディスク交換要求画面である。したがって、新型のディスク交換要求画面の出力状態を解除しても、引き続きディスク交換をユーザに要求することができる。
【０１２１】
なお、停車をトリガとして出力画面が従来型のディスク交換要求画面に切り替えられた後、ユーザが停止操作を行った場合は、出力画面は再生停止状態通知画面にさらに切り替えられる。
【０１２２】
また、停車をトリガとして出力画面が従来型のディスク交換要求画面に切り替えられた後、ユーザがイジェクト操作を行った場合は、従来型のディスク交換要求画面の出力がキャッシュトパッケージにより継続されることになるが、この点は従来技術と同様である。すなわち、従来型のディスク交換要求画面の出力中にユーザがＢＤ−ＲＯＭの入替を行うと、ディスク判別、ファイルシステム解析およびＢＤ−Ｊアプリケーション解析を経て、ＢＤ−Ｊタイトルの続きが再生されることとなる。
【０１２３】
このように、本実施の形態では、新型のディスク交換要求画面の出力状態を、予め定められたイベントの発生を条件として、適切なタイミングで解除することができる。
【０１２４】
以上、本発明の実施の形態について説明した。なお、各実施の形態は、種々変更して実施することができる。
【産業上の利用可能性】
【０１２５】
本発明の光ディスク再生装置は、ＢＤ−ＲＯＭディスクなどの記録媒体に記録されたデータを再生する光ディスク再生装置として有用である。
【符号の説明】
【０１２６】
１００  再生装置
１０１  ディスクトレイ
１１１  ピックアップ
１１２  サーボ
１１５  信号処理部
１１６  出力部
１１７  入力信号受信部
１１８  走行状態情報取得部
１２１  画面情報保持部
１２２  再生終端位置検知部
１２３  ユーザ操作部
１２４  無音状態監視タイマ
【図１】
0005443490.tif 000002
【図２】
0005443490.tif 000003
【図３】
0005443490.tif 000004
【図４】
0005443490.tif 000005
【図５Ａ】
0005443490.tif 000006
【図５Ｂ】
0005443490.tif 000007
【図５Ｃ】
0005443490.tif 000008
【図５Ｄ】
0005443490.tif 000009
【図６Ａ】
0005443490.tif 000010
【図６Ｂ】
0005443490.tif 000011